(57)【特許請求の範囲】
【請求項１】
ハウジングと、
電源部と、
該ハウジングに内蔵され、該電源部から供給される電力により回転するモータと、
該モータの回転により回転して加工部材を切断する切断刃と、
該ハウジングに設けられて該切断刃の外周の一部を覆うソーカバーと、
該ソーカバーを支持すると共に該加工部材に当接し、一端部に示唆部が設けられたベースと、
該ハウジング内に設けられ、該モータの回転により回転するファンと、
該ハウジングから該ソーカバーの切断方向前側まで延びるように、該ソーカバーに着脱可能に設けられた発光部と、を有し、
該発光部は、該電源部と接続される電線と、該電線を保持するケーシングと、該ケーシングに保持され該切断刃付近を照射可能である光源と、を有し、
該ケーシングは、開口部と、該ファンにより生成された空気流を該開口部に導く風路とを有し、該開口部から空気流を該示唆部付近に吹き出すようにしたことを特徴とする携帯用切断機。
【請求項２】
該発光部は、該光源と該電源部との間に設けられ、該電線を持つ中継手段を有し、
該中継手段は、該光源と接続されるとともに、該電源部に対して着脱可能に構成されていることを特徴とする請求項１に記載の携帯用切断機。
【請求項３】
該発光部が該ソーカバーに装着された状態で、該中継手段と該電源部とは電気的に接続可能に構成されていることを特徴とする請求項２に記載の携帯用切断機。
【請求項４】
さらに、該ハウジングから露出する電源コネクタと、該ハウジングから露出する部分を有し該電源部と電源コネクタとを接続する電源線と、を有し、
該中継手段は、該ケーシングから露出し該電源コネクタと接続される接続用コネクタと、該ケーシングから露出する部分を有し該光源と該接続用コネクタとを接続する該電線とから成り、
該電線のうち該ケーシングから露出する部分は、該電源線のうち該ハウジングから露出する部分よりも短いことを特徴とする請求項２又は３に記載の携帯用切断機。
【請求項５】
該ケーシング内であって該風路の外には、該光源を保持する光源保持部と、該中継手段を保持する中継手段保持部とが設けられていることを特徴とする請求項２乃至４のうちいずれか１に記載の携帯用切断機。
【請求項６】
該発光部は、複数の光源を有し、該切断刃の両側から該切断刃付近を照らすことを特徴とする請求項１乃至５のうちいずれか１に記載の携帯用切断機。
【発明の詳細な説明】
【技術分野】
【０００１】
本発明は携帯用切断機に関し、特に切り込み深さを調整可能な携帯用切断機に関する。
【背景技術】
【０００２】
従来から、木材等の加工部材を切断・加工するための切断機を携帯可能とした携帯用切断機がある。この携帯用切断機は携帯性に優れ、工場内に限らず建設現場等において多用されている。
【０００３】
携帯用切断機で木材を切断する際には、木材に切断予定箇所を示すケガキ線を描いておき、携帯用切断機の丸のこ刃の前方に設けられた示唆部をケガキ線上に合わせることで、位置決めを行っている。切断作業時には、木材が切断されることにより切り粉が生成され、示唆部上に切り粉が溜まってしまうという問題があった。
【０００４】
特許文献１に記載の携帯用切断機は、示唆部へ風を吹付けるブロア機構が設けられている。ブロア機構は、ケーシング内に設けたファンと、ソーカバーの外側に別途設けられた案内部材とから構成され、ファンによって発生した風は、案内部材を介して示唆部へ吹付けられる。
【０００５】
また、ソーカバーに、加工部材近傍を照らすライトを設けた携帯用切断機がある。このような携帯用切断機は、ライトから延びる配線を電源部まで引回す必要があるため、配線経路となる配線用案内部材を別途設ける必要があった。
【特許文献１】特許３７６５４２５号公報
【発明の開示】
【発明が解決しようとする課題】
【０００６】
しかしながら、ブロア機構とライトとを設ける場合、風の案内部材及び配線用案内部材が必要となるため、部品点数が増加する上、それらを組立てるための作業工数も増えてしまう。そこで、本発明は、部品点数の増加を抑制し、組立作業を簡略化した携帯用切断機を提供することを目的とする。
【課題を解決するための手段】
【０００７】
上記目的を達成するために、本発明は、ハウジングと、電源部と、該ハウジングに内蔵され、該電源部から供給される電力により回転するモータと、該モータの回転により回転して加工部材を切断する切断刃と、該ハウジングに設けられて該切断刃の外周の一部を覆うソーカバーと、該ソーカバーを支持すると共に該加工部材に当接し、一端部に示唆部が設けられたベースと、該ハウジング内に設けられ、該モータの回転により回転するファンと、該ハウジングから該ソーカバーの切断方向前側まで延びるように、該ソーカバーに着脱可能に設けられた発光部と、を有し、該発光部は、該電源部と接続される電線と、該電線を保持するケーシングと、該ケーシングに保持され該切断刃付近を照射可能である光源と、を有し、該ケーシングは、開口部と、該ファンにより生成された空気流を該開口部に導く風路とを有し、該開口部から空気流を該示唆部付近に吹き出すようにしたことを特徴とする携帯用切断機を提供する。
【０００８】
上記構成の携帯用切断機において、該発光部は、該光源と該電源部との間に設けられ、該電線を持つ中継手段を有し、該中継手段は、該光源と接続されるとともに、該電源部に対して着脱可能に構成されていることが好ましい。
【０００９】
また、該発光部が該ソーカバーに装着された状態で、該中継手段と該電源部とは電気的に接続可能に構成されていることが好ましい。
【００１０】
携帯用切断機は、さらに、該ハウジングから露出する電源コネクタと、該ハウジングから露出する部分を有し該電源部と電源コネクタとを接続する電源線と、を有し、該中継手段は、該ケーシングから露出し該電源コネクタと接続される接続用コネクタと、該ケーシングから露出する部分を有し該光源と該接続用コネクタとを接続する該電線とから成り、該電線のうち該ケーシングから露出する部分は、該電源線のうち該ハウジングから露出する部分よりも短いことが好ましい。
【００１１】
また、該ケーシング内であって該風路の外には、該光源を保持する光源保持部と、該中継手段を保持する中継手段保持部とが設けられていることが好ましい。
【００１２】
また、該発光部は、複数の光源を有し、該切断刃の両側から該切断刃付近を照らすことが好ましい。
【発明の効果】
【００１３】
請求項１に記載の携帯用切断刃によれば、ケーシングは、示唆部に向けて開口する開口部と、ファンにより生成された空気流を開口部に導く風路とを有するので、ファンの回転によって発生した風が風路を介して開口部から示唆部へと吹出すことにより、示唆部に堆積した切り粉等を吹飛ばすことができる。さらに、ケーシングは光源を保持する機能を兼ね備えているので、別途光源を保持する部材を設ける必要がなく、部品点数を減少することができる。
【００１４】
請求項２に記載の携帯用切断機によれば、光源と接続されるとともに、電源に対して着脱可能である中継手段を有するので、発光部は独立したユニットとしてハウジング及びソーカバーに対し着脱可能に構成される。よって、発光部をソーカバーに装着する前に、予め光源と電源とを接続しておく必要がなく、発光部を独立したユニットとして組立てた後に、発光部をソーカバーに装着し、中継手段を電源に対し装着すればよく、組立作業が容易となる。
【００１５】
請求項３に記載の携帯用切断機によれば、発光部がソーカバーに装着された状態で、中継手段と電源とは電気的に接続可能であるので、発光部の装着工程のほかに、別途、中継手段と電源との電気的な接続工程を必要とせず、組立工程を簡略化することができる。
【００１６】
請求項４に記載の携帯用切断機によれば、光源とコネクタとを接続する電線のうちケーシングから露出した部分は、電源と電源コネクタとを接続する電源線のうちハウジングから露出した部分よりも短いので、コネクタと電源側コネクタとは発光部側で接続される。よって、発光部をソーカバーに装着した後の電気的な接続が容易となる。また、光源のメンテナンス作業時等、発光部をユニットとしてハウジング及びソーカバーから取り外して作業するときには、電線のうちケーシングから露出した部分は短く構成されているため、電線が作業の邪魔になることがなく、作業効率が向上する。
【００１７】
請求項５に記載の携帯用切断機によれば、光源保持部と中継手段保持部とは風路の外に設けられているので、光源及び中継手段にファンからの風が接触することがない。よって、外気中の粉塵等を光源及び中継手段に付着させることがない。また、光源及び中継手段が風路抵抗になることがない。
【００１８】
請求項６に記載の携帯用切断機によれば、複数の光源によって切断刃の両側から切断刃付近を照らすので、切断刃の影が発生することを抑制できる。
【発明を実施するための最良の形態】
【００１９】
本発明の実施の形態による携帯用切断機について図１乃至図１１に基づき説明する。図１乃至図３に示される携帯用切断機である丸のこ１は、ハウジング２と、丸のこ刃３と、ソーカバー４と、ベース６と、発光部８とから主に構成されている。
【００２０】
ハウジング２は、モータ２Ａが収容されているモータ収容部２１と、モータ収容部２１と一体のハンドル部２２と、ファン２Ｂが収容されているファン収容部２３とから主に構成されている。なお、ソーカバー４内には、モータ２Ａに駆動される図示せぬ駆動系が設けられ、この駆動系により丸のこ刃３が回転可能となっている。また、ファン２Ｂは、モータ２Ａと同軸に設けられ、モータ２Ａと一体となって回転する。よって、ハウジング２の外部に設けられた電源部２２Ｄ（図４）からモータ２Ａが電力を供給されると、ファンがモータ２Ａと一体となって回転し、さらに、駆動系を介して丸のこ刃３が回転する。
【００２１】
図３に示されるように、ハンドル部２２には、モータ２Ａの駆動を制御するスイッチ２２Ａと、スイッチをＯＮ状態に保持する図示せぬストッパと、後述する発光部８のＬＥＤ８２の点灯、消灯を切替えるライトスイッチ２２Ｂとが設けられている。図４に示されるように、スイッチ２２Ａを引く操作を行うと、スイッチ２２Ａを介して電源部２２Ｄとモータ２Ａとが接続され、電源部２２Ｄからモータ２Ａへと電力が供給される。ライトスイッチ２２Ｂが押下されると、電源部２２Ｄから発光部８のＬＥＤ８２へと電力が供給される。また、電源部２２Ｄ及びライトスイッチ２２Ｂから延びる２本の電源線２２Ｅの先端には、電源側コネクタ２２Ｆが設けられている。
【００２２】
図１に示されるように、ハウジング２においてハンドル部２２の反モータ収容部２１側位置には、ソーカバー４と接続され、駆動系を収納するギアハウジング２４が設けられている。
【００２３】
図２に示されるように、ソーカバー４は、ハウジング２のギアハウジング２４（図１）と接続されるソーカバー本体部４１と、ソーカバー本体部４１に設けられたセーフティカバー４２と、ソーカバー本体部４１に着脱可能に設けられたリンクカバー４３とから主に構成されており、丸のこ刃３をカバーしている。
【００２４】
ソーカバー本体部４１は金属製であって、図２に示されるように丸のこ刃３の略半分を覆っている。ソーカバー本体部４１の周方向一端側には、後述の回動支持部６２と連結される連結部４１Ａが規定されている。ソーカバー本体部４１において、丸のこ刃３の側面と同一な平面と交わる位置にはリブ４１Ｂ（図１）が設けられている。ソーカバー本体部４１の周方向他端側には、リブ４１Ｂの延長線上に形成された貫通孔４１ａを有しており、この貫通孔４１ａ部分に、後述のリンク６５をソーカバー本体部４１に対して締結・解除可能な締結部５が配置されている。
【００２５】
図２に示されるように、締結部５は、ボルト５１と、ワッシャ５２と、回動操作部５３と、ナット５４と、から主に構成されている。ボルト５１は、軸部５１Ａと、軸部５１Ａの基端側に設けられた鍔部５１Ｂと、軸部５１Ａと鍔部５１Ｂとの間に位置し軸部５１Ａの軸方向と直交する断面が略正方形の方形部５１Ｃとを備えている。ワッシャ５２の略中央位置には貫通孔が形成されている。ワッシャ５２をソーカバー本体部４１に取り付けることにより、ワッシャ５２は貫通孔の軸周りに回転不能にソーカバー本体部４１に保持され、貫通孔内にボルト５１の軸部５１Ａが挿通される。ワッシャ５２は、第１ワッシャ５２Ａ、第２ワッシャ５２Ｂを有し、回動操作部５３は第１ワッシャ５２Ａと嵌合し一体に回動可能となっており、第１ワッシャ５２Ａは、第２ワッシャ５２Ｂと当接し摺動可能となっており、貫通孔内にボルト５１の軸部５１Ａが挿通される。
【００２６】
図２に示されるように、丸のこ刃３の少なくとも一部を覆うセーフティカバー４２がソーカバー本体部４１の外縁に沿って円周方向に回動可能に設けられている。ソーカバー本体部４１とセーフティカバー４２との間には、図示せぬバネが介在しており、ソーカバー本体部４１に対してセーフティカバー４２を図中反時計方向に付勢している。よって切断作業を行っていない状態では、セーフティカバー４２は、丸のこ刃３のソーカバー本体部４１で覆えない部分を他端側から一端側に向かって覆っている。ソーカバー本体部４１の一端側と、セーフティカバー４２との間には、丸のこ刃３が露出しており、この露出部分が加工部材を切断する部分となって、ソーカバー本体部４１の他端側から一端側にむけて丸のこ１は切り進んでいく。よってソーカバー本体部４１の他端側から一端側を切断方向と定義し、ソーカバー本体部４１の一端側を切断方向前側、他端側を切断方向後側と定義する。リンクカバー４３は、ソーカバー本体部４１の上面であって切断方向後側に着脱可能に設けられ、リンク６５を覆っている。
【００２７】
図１及び図２に示されるように、ベース部材６１において、開口部６ａの切断方向前側位置には回動支持部６２と、切断位置を示す示唆部６７とが設けられ、ハウジング２と丸のこ刃３とソーカバー４とを回動及び傾動可能に支持している。ベース部材６１は、ベース６の主構成材であり金属製であって略長方形の板材より構成されている。ベース部材６１は長手方向が切断方向と一致するように配置され、その表面には長手方向に延びる長孔状の開口部６ａが形成されている。この開口部６ａに丸のこ刃３及びセーフティカバー４２が入るように、ベース部材６１が構成されている。回動支持部６２は切断方向後側に延出される一対の腕部を備え、その腕部には、切断方向と直交する方向を軸方向とする回動軸部６２Ａが設けられている。この回動軸部６２Ａにはソーカバー本体部４１の切断方向前側に位置する連結部４１Ａが軸支されている。リンク６５は、ソーカバー本体部４１の内壁に沿うように挿入されている。リンク６５は、締結部５を摺動可能に案内することにより、回動軸部６２Ａを中心として、ソーカバー本体部４１を回動させることができる。示唆部６７は、ベース部材６１の切断方向最先端位置であって、丸のこ刃３を含む平面が交わる位置に設けられている。
【００２８】
図１に示されるように、発光部８は、ハウジング２内からソーカバー４の切断方向前側まで延びるように設けられており、ケーシング８１と、加工部材の切断箇所近傍を照らすＬＥＤ８２と、ＬＥＤ８２の給電を制御する基板８３（図８）と、基板８３から延びる電線８４（図８）と、電線８４の先端に設けられたコネクタ８５（図８）とから主に構成されている。
【００２９】
図１及び図２に示されるように、ケーシング８１は、ハウジング２内からソーカバー本体部４１の切断方向前側に設けられ、ソーカバー本体部４１の両側面に対し１箇所ずつネジ９０で固定されている。図１に示されるように、ケーシング８１は、ハウジング２に設けられたファン収容部２３からソーカバー本体部４１前方へと続く風路８１ａと、風路８１ａ外であって下部に配置される接続路８１ｂ（図５）を有している。ケーシング８１は、ファン収容部２３からギアハウジング２４の内壁に沿うように設けられた直線部８１Ａと、直線部８１Ａと連通しソーカバー本体部４１の切断方向前側の部分を覆うように設けられた先端部８１Ｂとから主に構成されている。
【００３０】
図６及び図７に示されるように、直線部８１Ａは、ファン２Ｂと連通された第１風路８１ｃと、第１風路８１ｃの下側に配置された第１接続路８１ｄとを有している。第１接続路８１ｄは、電線８４とコネクタ８５とをハウジング２に保持される電源側コネクタ２２Ｆ側へと導いている。
【００３１】
図７（ａ）に示されるように、先端部８１Ｂのうち上部には、示唆部６７（図２）に向かって開口する開口部８１ｅと、第１風路８１ｃを介してファン収容部２３と接続される第２風路８１ｆとが設けられている。下部には、ＬＥＤ８２を保持するライト保持部８１ｇと、基板８３を保持し収容する基板収容部８１ｈと、基板収容部８１ｈと第１接続路８１ｃとを連通する第２接続路８１ｉ（図７（ｂ））とが設けられている。
【００３２】
図６に示されるように、ＬＥＤ８２は、モータ２Ａ側に位置する２つの第１ＬＥＤ８２Ａと、反モータ２Ａ側に位置する第２ＬＥＤ８２Ｂとによって、丸のこ刃３の両側から切断箇所を照らすことができる。よって、丸のこ刃３の影が発生することを抑制できる。図８に示されるように、第１ＬＥＤ８２Ａは基板８３に直接接続され、第２ＬＥＤ８２Ｂは配線８２Ｃを介して基板８３に接続されている。第１ＬＥＤ８２Ａは、基板保持部８１ｈの下側に位置する第１ライト保持部８１ｇに形成された貫通孔８１ｊから外部へと先端が突出する状態で保持されている。第２ライト保持部８１ｋは、ソーカバー本体部４の反第１ライト保持部８１ｇ側に配置されている。第２ＬＥＤ８２Ｂは、第１ＬＥＤ８２Ａと同様に、第２ライト保持部８１ｋに設けられた貫通孔８１ｍから外部へと先端が突出する状態で保持されている。また、第２ＬＥＤ８２Ｂは、図２に示されるように、ケーシング８１の第２ライト保持部８１ｋに保持された状態で（図９（ａ）参照）、ソーカバー本体部４１側をライトカバー８６（図９（ｂ））によって覆われている。また、ケーシング８１のうちソーカバー本体部４１側（第１風路８１ｃ及び第１ライト保持部８１ｇ等が設けられている側）の部分は、図示せぬカバーが係合されることにより覆われている。具体的には、第１ＬＥＤ８２Ａは第１ライト保持部８１ｇに保持された状態で、基板８３は基板収容部８１ｈに収容された状態で、図示せぬカバーによって覆われている。
【００３３】
上記の構成によって、図５に示されるように、基板８３から延びる電線８４は、第２接続路８１ｉを介して第１接続路８１ｄへと引回され、図６に示されるように、コネクタ８５をケーシング８１の外部へと案内する。
【００３４】
一方、電源側コネクタ２２Ｆは、図４に示されるように、ハンドル部２２内において、ライトスイッチ２２Ｂを介して電源部２２Ｄと接続されている。このとき、図３に示されるように、電源線２２Ｅはファン収容部２３の前側を引回されて、電源側コネクタ２２Ｆはケーシング８１の端部、接続路８１ｂの開口近傍に位置する。コネクタ８５と電源側コネクタ２２Ｆとが接続され、さらに、ライトスイッチ２２Ｂが押下されることにより、各ＬＥＤ８２は電源部２２Ｄ（図４）と接続され点灯する。
【００３５】
上記の構成によれば、図１に示されるように、発光部８のケーシング８１は、示唆部６７に向けて開口する開口部８１ｅ（図２）と、ファン２Ｂと開口部８１ｅ（図２）とを接続する風路８１ａとを有するので、ファン２Ｂの回転によって発生した風が風路８１ａを介して開口部８１ｅ（図２）から示唆部６７へと吹出すことにより、示唆部６７に堆積した切り粉等を吹飛ばすことができる。さらに、図５に示されるように、ケーシング８１はＬＥＤ８２、基板８３、電線８４、コネクタ８５（図６）とを保持する機能を兼ね備えているので、別途保持部材を設ける必要がなく、部品点数を減少することができる。また、図３に示されるように、コネクタ８５は、電線８４を介してＬＥＤ８２と接続されるとともに、電源部２２Ｄ（図４）に対してはハンドル部２２の電源側コネクタ２２Ｆを介して着脱可能であるので、ＬＥＤ８２と電源部２２Ｄ（図４）とが離脱しているとき、具体的には、コネクタ８５と電源側コネクタ２２Ｆとが離脱しているときには、発光部８は独立したユニットとしてハウジング２及びソーカバー本体部４１に対し着脱可能に構成される。よって、発光部８をソーカバー本体部４１に装着する前に、予めコネクタ８５と電源側コネクタ２２Ｆとを接続し、電源部２２Ｄ（図４）とＬＥＤ８２とを接続しておく必要がなく、発光部８を独立したユニットとして組立てた後に、発光部８をソーカバー本体部４１に装着し、コネクタ８５を電源側コネクタ２２Ｆに対し装着すればよく、組立作業が容易となる。
【００３６】
また、ＬＥＤ８２とコネクタ８５とを接続する電線８４が、電源２２Ｄと電源側コネクタ２２Ｆとを接続する電源線２２Ｅよりも短いので、コネクタ８５と電源側コネクタ２２Ｆとは発光部８側で接続される。よって、発光部８をソーカバー本体部４１に装着した後の電気的な接続が容易となる。また、ＬＥＤ８２のメンテナンス作業時等、発光部８をユニットとしてハウジング２及びソーカバー本体部４１から取り外して作業するときには、電線８４のうちケーシング８１から露出した部分は短く構成されているため、電線８４が作業の邪魔になることがなく、作業効率が向上する。
【００３７】
また、図５に示されるように、ライト保持部８１ｇと配線経路８１ｂとは風路８１ａの外に設けられているので、ＬＥＤ８２、基板８３、電線８４、コネクタ８５にファン２Ｂからの風が接触することがない。よって、外気中の粉塵等をＬＥＤ８２、基板８３、電線８４、コネクタ８５に付着させることがない。また、ＬＥＤ８２、基板８３、電線８４、コネクタ８５が風路抵抗になることがない。
【００３８】
本発明による携帯用切断機は上述した実施の形態に限定されず、特許請求の範囲に記載した発明の要旨の範囲内で種々の変形や改良が可能である。例えば、図１０に示されるように、電線８４及びコネクタ８５が接続路８１ｄ内に固定され、ケーシング８１から露出する部分がない構成であってもよい。電源線２２Ｅ及び電源側コネクタ２２Ｆも同様に、図１１に示されるように、電源線２２Ｅ及びコネクタ２２Ｆがハウジング２内に固定される構成であってもよい。このような構成によれば、発光部８がハウジング２及びソーカバー本体部４１に装着された状態では、つまり、発光部８がハウジング２及びソーカバー本体部４１に装着されると同時に、コネクタ８５と電源側コネクタ２２Ｆとは接続可能であるので、発光部８の装着工程のほかに、別途、コネクタ８５と電源側コネクタ２２Ｆとの電気的な接続工程を必要とせず、組立工程を簡略化することができる。
【００３９】
また、上述した実施の形態では、発光部８のケーシング８１は、第１ライト保持部８１ｇ及び第２ライト保持部８１ｋとを設ける構成としたが、第１ライト保持部と第２ライト保持部とは互いに独立した部材としてもよい。
【００４０】
また、上述した実施の形態では、発光部８のケーシング８１は、第２ライト保持部８１ｋには、第２ＬＥＤ８２Ｂのソーカバー本体部４１側を覆うライトカバー８６を設ける構成としたが、第２ＬＥＤ８２Ｂのソーカバー本体部４１側は、第２ライト保持部によって覆われる構成であってもよい。
【００４１】
また、上述した実施の形態では、回動操作部５３と第１ワッシャ５２Ａとは別部材で形成され、互いに嵌合することによって一体に回動可能な構成としたが、回動操作部５３と第１ワッシャ５２Ａとは一体に形成されていてもよい。
【００４２】
なお、電源部は、充電可能な電池であっても良い。また、電源部は、ＡＣ電源と接続可能な箇所を指すものであっても良い。
【図面の簡単な説明】
【００４３】
【図１】本発明の実施の形態に係る携帯用切断機を示す平面図である。
【図２】本発明の実施の形態に係る携帯用切断機を示す反モータ側の側面図である。
【図３】図１におけるIII-III断面付近の断面図である。
【図４】本発明の実施の形態に係る携帯用切断機の電気接続を示す説明図である。
【図５】本発明の実施の形態に係る携帯用切断機の発光部の一部を示す平面図である。
【図６】本発明の実施の形態に係る携帯用切断機の発光部を示す正面図である。
【図７】本発明の実施の形態に係る携帯用切断機のケーシングの一部を示す（ａ）斜視図及び（ｂ）斜視図である。
【図８】本発明の実施の形態に係る携帯用切断機の発光部のうち光源及び中継手段を示す平面図である。
【図９】本発明の実施の形態に係る携帯用切断機の（ａ）光源保持部の一部を示す平面図、（ｂ）光源保持部に設けるライトカバーの斜視図である。
【図１０】本発明の変形例の一例である携帯用切断機の発光部を示す正面図である。
【図１１】本発明の変形例の一例である携帯用切断機のハウジングと電源コネクタを示す正面図である。
【符号の説明】
【００４４】
１・・丸のこ  ２・・ハウジング  ２Ａ・・モータ  ２Ｂ・・ファン  ３・・丸のこ刃  
４・・ソーカバー  ５・・締結部  ６・・ベース  ６ａ・・開口部  ８・・発光部  
２１・・モータ収容部  ２２・・ハンドル部  ２２Ａ・・スイッチ  
２２Ｂ・・ライトスイッチ  ２２Ｄ・・電源部  ２２Ｅ・・電源線  
２２Ｆ・・電源側コネクタ  ２３・・ファン収容部  ２４・・接続部  
４１・・ソーカバー本体部  ４１Ａ・・連結部  ４１ａ・・貫通孔  ４１Ｂ・・リブ  
４２・・セーフティカバー  ４３・・リンクカバー  ５１・・ボルト  ５１Ａ・・軸部  
５１Ｂ・・鍔部  ５１Ｃ・・方形部  ５２・・ワッシャ  ５３・・回動操作部  
５４・・ナット  ６１・・ベース部材  ６２・・回動支持部  ６２Ａ・・回動軸部  
６５・・リンク  ６７・・示唆部  ８１・・ケーシング  ８１ａ・・風路  
８１Ａ・・直線部  ８１ｂ・・接続路  ８１Ｂ・・先端部  ８１ｃ・・第１風路  
８１ｄ・・第１接続路  ８１ｅ・・排出口  ８１ｆ・・第２風路  
８１ｇ・・・第１ライト保持部  ８１ｈ・・基板保持部  ８１ｉ・・第２接続路  
８１ｊ・・貫通孔  ８１ｋ・・第２ライト保持部  ８１ｍ・・貫通孔  ８２・・ＬＥＤ  
８２Ｃ・・配線  ８３・・基板  ８４・・電線  ８５・・コネクタ  ８６・・ライトカバー  ９０・・ネジ
【図１】
0004936225.tif 000002
【図２】
0004936225.tif 000003
【図３】
0004936225.tif 000004
【図４】
0004936225.tif 000005
【図５】
0004936225.tif 000006
【図６】
0004936225.tif 000007
【図７】
0004936225.tif 000008
【図８】
0004936225.tif 000009
【図９】
0004936225.tif 000010
【図１０】
0004936225.tif 000011
【図１１】
0004936225.tif 000012